(57)【要約】【課題】液体を浄化するための、および／または液体から物質を分離するための新規なクロマトグラフィーカラムを提供すること。【解決手段】本発明によるクロマトグラフィーカラムは、フローディストリビュータに接着されるバッキングプレートを備える少なくとも１つのアセンブリを有する。また、本発明は、このようなクロマトグラフィーカラムを形成して使用する方法にも関する。【選択図】  図１
2015034816.tif 000002
【特許請求の範囲】
【請求項１】
（ａ）第１の端部と第２の端部と中空の内部とを有するチューブと、
（ｂ）第１の端部アセンブリおよび第２の端部アセンブリと
を備えるクロマトグラフィーカラムであって、
前記第１の端部アセンブリおよび前記第２の端部アセンブリのそれぞれが、前記チューブを塞ぐとともにクロマトグラフィー媒体のための空間を前記チューブ内に画定するよう前記チューブの対応の端部に装着可能であり、前記第１のアセンブリおよび前記第２のアセンブリの少なくとも一方が、フローディストリビュータと、バッキングプレートとを備え、
（ｉ）前記フローディストリビュータが、前記チューブの内部に面する第１の表面と、前記チューブの内部から離れる方向を向く第２の表面と、前記フローディストリビュータの前記第１の表面および前記第２の表面を貫くフローディストリビュータ貫通穴と、前記フローディストリビュータ貫通穴と流体連通する複数の流体チャネルとを備え、
（ｉｉ）前記バッキングプレートが第１の表面および第２の表面を備え、前記バッキングプレートの前記第１の表面が前記フローディストリビュータの前記第２の表面と対向し、前記バッキングプレートが、該バッキングプレートの前記第１および第２の表面を貫くバッキングプレート貫通穴を備え、前記バッキングプレート貫通穴が前記フローディストリビュータ貫通穴と流体連通し、
前記バッキングプレートが前記フローディストリビュータに接着される、クロマトグラフィーカラム。
【請求項２】
前記バッキングプレートの前記第１の表面と前記ディストリビュータの前記第２の表面との間の接着をもたらす、アクリル系、シアノアクリレート系、または、結合膜／エポキシ系の接着剤を備える、請求項１に記載のクロマトグラフィーカラム。
【請求項３】
前記バッキングプレートの前記第１の表面と前記フローディストリビュータの前記第２の表面との間に接着される膜を備える、請求項１または２に記載のクロマトグラフィーカラム。
【請求項４】
プラスチックのフローディストリビュータおよび／またはプラスチックのバッキングプレートを備える、請求項１〜３のいずれか一項に記載のクロマトグラフィーカラム。
【請求項５】
プラスチック複合体のフローディストリビュータおよび／またはプラスチック複合体のバッキングプレートを備える、請求項１〜４のいずれか一項に記載のクロマトグラフィーカラム。
【請求項６】
金属のフローディストリビュータおよび／または金属のバッキングプレートを備える、請求項１〜５のいずれか一項に記載のクロマトグラフィーカラム。
【発明の詳細な説明】
【発明の背景】
【０００１】
[0001]クロマトグラフィーカラムは、液体を浄化するため、および／または液体から物質を分離するために様々なプロセスで使用される。例えば、クロマトグラフィーカラムは、プロセス液を浄化するため、および／またはプロセス液から対象の１つ以上の物質を分離するために工業プロセスにおいて使用され得る。一般的に、用途としては精製化学製品および／または調合薬の予備精製がある。
【０００２】
[0002]しかしながら、さらに改良されたクロマトグラフィーカラムが必要とされている。
【発明の概要】
【０００３】
[0003]本発明の一実施形態は、次のクロマトグラフィーカラムを提供するものである。すなわち、このクロマトグラフィーカラムは、（ａ）第１の端部と第２の端部と中空の内部とを有するチューブと、（ｂ）第１の端部アセンブリおよび第２の端部アセンブリとを備えるものであり、前記端部アセンブリのそれぞれが、チューブを塞ぐとともにクロマトグラフィー媒体のための空間をチューブ内に画定するためにチューブのそれぞれの端部に装着可能となっており、少なくとも一方の端部アセンブリが、フローディストリビュータと、バッキングプレートとを備え、（ｉ）フローディストリビュータが、チューブの内部に面する第１の表面と、チューブの内部から離れる方向を向く第２の表面と、フローディストリビュータの第１および第２の表面を貫くフローディストリビュータ貫通穴と、フローディストリビュータ貫通穴と流体連通する複数の流体チャネルとを備え、（ｉｉ）バッキングプレートが、第１の表面および第２の表面を備え、バッキングプレートの第１の表面が、フローディストリビュータの第２の表面と対向し、バッキングプレートが、該バッキングプレートの第１および第２の表面を貫くバッキングプレート貫通穴を備え、バッキングプレート貫通穴が、フローディストリビュータ貫通穴と流体連通し、バッキングプレートがフローディストリビュータに接着されるものである。
【図面の簡単な説明】
【０００４】
【図１】スタンド上に、本発明の一実施形態に係る第１および第２の端部アセンブリを備える代表的なクロマトグラフィーカラムを示す図であり、端部アセンブリは、それぞれフローディストリビュータに接着されるバッキングプレートを備える。
【図２】図１に示されるカラムにおける端部アセンブリで使用されるバッキングプレートの上面図および底面図である。図示の実施形態において、ＦＩＧ．２Ａ’およびＦＩＧ．２Ｂ’は固定されたバッキングプレートであり、ＦＩＧ．２Ａ”およびＦＩＧ．２Ｂ”は調整可能なバッキングプレートである。
【図３】図１に示されるカラムにおける端部アセンブリで使用されるフローディストリビュータの上面図および底面図である。図示の実施形態において、ＦＩＧ．３Ａ’およびＦＩＧ．３Ｂ’は固定されたフローディストリビュータであり、ＦＩＧ．３Ａ”およびＦＩＧ．３Ｂ”は調整可能なフローディストリビュータである。
【発明を実施するための形態】
【０００５】
[0007]フローディストリビュータが多数のボルトを用いてバッキングプレートに締結され、そのため、ネジ開口周囲の隙間、ネジ山を介して、および／または、フローディストリビュータとバッキングプレートとの間で汚染物質流体がカラム内に入る可能性があるいくつかの従来のクロマトグラフィーカラムとは対照的に、ボルトを伴わずに、または数少ないボルトを用いてフローディストリビュータがバッキングプレートに接着される本発明によれば、カラム内への汚染物質流体の侵入を減らすことができ、または排除でき、有効である。この利点は特に望ましい。従来のカラムのオペレータは、汚染物が存在するかどうかを判断できない場合があるからである。
【０００６】
[0008]他の利点では、本発明を例えばスチールバッキングプレートと共に使用できる一方で、非金属材料（例えば、以下で更に詳しく述べるプラスチック材料）も使用することができ、それにより、（１または複数の）端部アセンブリの重量を大きく軽減できる。
【０００７】
[0009]  本発明の実施形態は、バッキングプレートとフローディストリビュータとを備える少なくとも１つの端部アセンブリを含む多種多様なクロマトグラフィーカラム、例えば、ベッド高さが調整できる、または固定されたカラムと共に使用するのに適する。
【０００８】
[0010]  接着をもたらす市販の製品を含む、接着をもたらす様々な材料が、本発明で用いるのに適する。アクリル（例えば、２成分アクリル）系接着剤、シアノアクリレート系接着剤、および、結合膜／エポキシ系接着剤などの接着剤が特に適する。適した市販の製品としては、ＤＰ-８００５（３Ｍ  Ｓｃｏｔｃｈ  Ｗｅｌｄ），ＬＯＣＴＩＴＥ  ４０６  ａｎｄ  ＬＯＣＴＩＴＥ  ３０３８（Ｈｅｎｋｅｌ  Ｃｏｒｐｏｒａｔｉｏｎ）；２０５０（Ｐｅｒｍａｂｏｎｄ）ａｎｄ  ａｄｈｅｓｉｖｅ  ｆｉｌｍ（Ｃｏｌｌａｎｏ  Ａｄｈｅｓｉｖｅｓ）が挙げられるが、これらに限定されない。
【０００９】
[0011]フローディストリビュータおよびバッキングプレートは、同じ、または異なる材料から形成することができる。例えば、一方を金属（例えばスチール）から作ることができ、他方をプラスチック（複合プラスチック、および／または強化プラスチックを含む）から作ることができる。あるいは、フローディストリビュータおよびバッキングプレートの両方を金属から作ることができ（例えば、両方を同じ金属または異なる金属から作る）、、またはプラスチックから作ることができる（例えば、両方を同じプラスチックもしくは異なるプラスチックから作り、または、一方を強化プラスチックから作ることができ、他方を異なる範疇のプラスチックから作ることができる）。適したフローディストリビュータおよびバッキングプレートは、当該技術分野において知られるように形成され得る。
【００１０】
[0012]本発明の一実施形態は、次のクロマトグラフィーカラムを提供するものである。すなわち、このクロマトグラフィーカラムは、（ａ）第１の端部と第２の端部と中空の内部とを有するチューブと、（ｂ）第１の端部アセンブリおよび第２の端部アセンブリとを備える。また、各端部アセンブリは、チューブを塞ぐとともにクロマトグラフィー媒体のための空間をチューブ内に画定するためにチューブの対応の端部に装着可能であり、少なくとも一方の端部アセンブリがフローディストリビュータとバッキングプレートとを備えている。（ｉ）フローディストリビュータは、チューブの内部に面する第１の表面と、チューブの内部から離れる方向を向く第２の表面と、フローディストリビュータの第１および第２の表面を貫くフローディストリビュータ貫通穴と、フローディストリビュータ貫通穴と流体連通する複数の流体チャネルとを備え、（ｉｉ）バッキングプレートは第１の表面および第２の表面を備え、バッキングプレートの第１の表面がフローディストリビュータの第２の表面と対向し、バッキングプレートが該バッキングプレートの第１および第２の表面を貫くバッキングプレート貫通穴を備え、バッキングプレート貫通穴がフローディストリビュータ貫通穴と流体連通し、バッキングプレートがフローディストリビュータに接着される。
【００１１】
[0013]クロマトグラフィーカラムの典型的な実施形態において、各端部アセンブリは、フローディストリビュータの第１の表面に取り付けられるベッド支持体を更に備え、この場合、ベッド支持体が流体フロー開口を含み、また、フローディストリビュータの複数の流体チャネルは、フローディストリビュータ貫通穴およびベッド支持体の流体フロー開口と流体連通する。
【００１２】
[0014]次に、以下、本発明の構成要素のそれぞれについて更に詳しく説明し、その場合、同様の構成要素が同様の参照数字を有する。
【００１３】
[0015]図１は、本発明の一実施形態に係る例示的なクロマトグラフィーカラムを示し、また、図２および図３は、例示的なバッキングプレートおよび例示的なフローディストリビュータを示す。
【００１４】
[0016]図１において、図示のクロマトグラフィーカラム１００は円筒状のカラムチューブ１（一般に、ステンレス鋼またはアクリルなどの強度の不活性材料から作られる）を備え、このカラムチューブ１は、クロマトグラフィー媒体を受けるためのキャビティを画定するとともに、一端の底端部アセンブリ（第１の端部アセンブリ）５を他端の上端部アセンブリ（第２の端部アセンブリ）６から分離する。また、図示のカラムは、フランジ２００，２０１も有し、また、一組の脚５１によって地面上で支持される。望ましい場合には、脚が車輪を更に含むことができ、および／または、脚がカラムの調整可能な高さおよび／またはレベルをもたらすことができる。図示の実施形態では、上端部アセンブリが調整可能であり、また、底端部アセンブリが固定されるが、本発明はそのように限定されない。これに代えて、またはこれに加えて、カラムチューブは、例えば米国特許第７，６０４，７４７号明細書に開示されるように、端部アセンブリのいずれか一方または両方に対して移動することができる。
【００１５】
[0017]図示の底端部アセンブリ５は、フローディストリビュータ５００（図３のＦＩＧ．３Ａ’およびＦＩＧ．３Ｂ’に更に詳しく示される）と、ベッド支持体５１５（後述するようにフローディストリビュータの第１の表面上にあり、図１に示される）と、バッキングプレート５２０（図２のＦＩＧ．２Ａ’およびＦＩＧ．２Ｂ’に更に詳しく示される）とを備え、フローディストリビュータ５００はチューブの内部に面する第１の表面５０１を備え、第１の表面は複数の流体チャネル５０５も備え、また、フローディストリビュータ５００は、チューブの内部から離れる方向を向く第２の表面５０２と、フローディストリビュータの第１および第２の表面を貫くフローディストリビュータ貫通穴５０３とを備える（一般的には、貫通穴は中心に配置される）。フローディストリビュータの第１の表面５０１に取り付けられるベッド支持体５１５（適した支持体は、市販されており、当該技術分野において知られている）は、複数の流体フロー開口を含み、また、フローディストリビュータの複数の流体チャネル５０５は、フローディストリビュータ貫通穴５０３とベッド支持体５１５の流体フロー開口とに流体連通する。図示のバッキングプレート５２０は、第１の表面５２１および第２の表面５２２を備え、バッキングプレートの第１の表面はフローディストリビュータの第２の表面と対向し、また、バッキングプレート５２０は、バッキングプレートの第１および第２の表面を貫くバッキングプレート貫通穴５２３を備え（一般的には、貫通穴は中心に配置される）、この場合、バッキングプレート貫通穴５２３はフローディストリビュータ貫通穴５０３と流体連通し、また、バッキングプレートはフローディストリビュータに接着される。
【００１６】
[0018]処理中においてクロマトグラフィー媒体の充填または取り出し、および溶離液の除去または収集を可能にするために、マルチポートアクセス弁５５が下端アセンブリ５の貫通穴５０３，５２３を通じてチューブの内部と連通する。図示の実施形態において、アクセス弁５５は、移動相ポート５１０と、スラリー入口ポート５１１と、スラリー廃棄ポート５１２とを備える。
【００１７】
[0019]同様に、図示の上端部アセンブリ６は、フローディストリビュータ６００（図３のＦＩＧ．３Ａ”およびＦＩＧ．３Ｂ”に更に詳しく示される）と、ベッド支持体６１５（後述するようにフローディストリビュータの第１の表面上にあり、図１に示される）と、バッキングプレート６２０（図２のＦＩＧ．２Ａ”およびＦＩＧ．２Ｂ”に更に詳しく示される）とを備え、フローディストリビュータ６００は、チューブの内部に面する第１の表面６０１を備え、第１の表面は複数の流体チャネル６０５も備え、また、フローディストリビュータ６００は、チューブの内部から離れる方向を向く第２の表面６０２と、フローディストリビュータの第１および第２の表面を貫くフローディストリビュータ貫通穴６０３とを備える（一般的には、貫通穴は中心に配置される）。フローディストリビュータの第１の表面６０１に取り付けられるベッド支持体６１５（適した支持体は、市販されており、当該技術分野において知られている）は、複数の流体フロー開口を含み、また、フローディストリビュータの複数の流体チャネル６０５は、フローディストリビュータ貫通穴６０３とベッド支持体６１５の流体フロー開口とに流体連通する。図示のバッキングプレート６２０は、第１の表面６２１および第２の表面６２２を備え、バッキングプレートの第１の表面はフローディストリビュータの第２の表面と対向し、また、バッキングプレート６２０は、バッキングプレートの第１および第２の表面を貫くバッキングプレート貫通穴６２３を備え（一般的には、貫通穴は中心に配置される）、この場合、バッキングプレート貫通穴６２３は、フローディストリビュータ貫通穴６０３と流体連通し、また、バッキングプレートは、フローディストリビュータに接着される。
【００１８】
[0020]処理においてクロマトグラフィー媒体の充填または取り出し、および溶離液の除去または収集を可能にするために、マルチポートアクセス弁６６が、上端アセンブリ６の貫通穴６０３，６２３を通じてチューブの内部と連通する。図示の実施形態において、アクセス弁６６は、移動相ポート６１０と、スラリー入口ポート６１１と、スラリー廃棄ポート６１２とを備える。
【００１９】
[0021]図示の実施形態によれば、上端部アセンブリ６は、例えば、カラム内の対象の材料のクロマトグラフィー分離を行うために使用されるクロマトグラフィー媒体（図示せず）のベッドを押し固める、または圧縮するために、チューブのキャビティ内を動作モードで移動できる。
【００２０】
[0022]本発明によれば、クロマトグラフィー分離は、下降流または上昇流を使用して行うことができる。例えば、上昇流中には、アクセス弁５５を介して、分離されるべき材料を含む液体を導入することができ、また、この液体は、アクセス弁６６を介してカラムの上端で収集されるように媒体層を通り抜けて上方へ流れる。下降流中には、アクセス弁６６を介して、分離されるべき材料を含む液体を導入することができ、また、この液体は、アクセス弁５５を介してカラムの下端で収集されるように媒体層を通り抜けて下方へ流れる。
【００２１】
[0023]図示の実施形態において、一方の端部アセンブリは、別個の締結具を伴うことなくフローディストリビュータがバッキングプレートに接着されることを示し、また、他方の端部アセンブリは、フローディストリビュータがバッキングプレートに接着されるとともに、いくつかの締結具が存在することを示し、したがって、フローディストリビュータとバッキングプレートとを互いに結合するために、フローディストリビュータおよび／またはバッキングプレートの開口を通り抜ける締結具が存在せず、またはそのような締結具の数が減少される。そのため、市販のカラムとは対照的に、ネジ開口周囲の隙間、ネジ山を介して、および／または、フローディストリビュータとバッキングプレートとの間で汚染物質流体がカラム内に入る機会が殆どない。
【実施例】
【００２２】
[0024]以下の実施例は、本発明を更に例示するが、無論、本発明の範囲を多少なりとも限定すると解釈されるべきでない。
【００２３】
［実施例１］
[0025]この例は、本発明の一実施形態に係るフローディストリビュータに対するバッキングプレートの接着を明らかにする。また、この例は、ステンレス鋼バッキングプレートの代わりに複合体強化プラスチックバッキングプレートを使用してカラムを形成でき、それにより、重量を軽減して形成できるカラムがもたらされることも示す。
【００２４】
[0026]商標ＲＥＳＯＬＵＴＥ（ニューヨーク州のポートワシントンにあるＰａｌｌ社）を伴う市販のクロマトグラフィーカラムが入手され、また、ステンレス鋼のフランジおよびバッキングプレートが繊維強化プラスチック構成材料と置き換えられる（図１を使用して参照すると、繊維強化構成要素は、２００，２０１（フランジ）、および５２０，６２０（バッキングプレート）に対応する）。ベッド支持体は、市販のＰＯＲＥＭＥＴスチールプレート型メッシュである（スイスのＧ．ＢＯＰＰ，ａｎｄ  Ｃｏ．，ＡＧ，Ｚuｒｉｃｈ）。
【００２５】
[0027]２つのポリプロピレンフローディストリビュータプレート（５００，６００）および２つの繊維強化プラスチック（ガラス強化プラスチックとしても知られる）バッキングプレートが入手される。
【００２６】
[0028]接着膜が入手される（スイスのＣｏｌｌａｎｏ  Ａｄｈｅｓｉｖｅ  ＡＧ）。この膜は、ポリプロピレンディストリビュータプレートの第２の表面（５０２，６０２）上に配置され、膜が加熱されて、加熱された膜に圧力が加えられる。
【００２７】
[0029]硬化剤と混合されるエポキシ樹脂が膜の自由表面（ディストリビュータプレートに結合されない膜の表面）に塗布される。繊維強化プラスチックバッキングプレートが樹脂上に配置されて、樹脂を硬化させることができる。
【００２８】
[0030]それぞれのバッキングプレートに対してフローディストリビュータプレートを結合した後、クロマトグラフィーカラムが再び組み付けられて圧力試験リングに接続される。クロマトグラフィーカラムは、水を使用する静水圧試験に晒される。カラム内圧が最大許容圧力（ＭＡＰ）４．２バールまで徐々に上昇される。内圧は、６．０バールのカラム試験圧に達するまで再び上昇される。圧力は、容器内に閉じ込められて、６０分の期間にわたって監視される。内圧は、圧力トランスデューサに記録されるとともに、印刷されて試験報告に添付されるとともにサインされるトレースに記録される。試験は、欧州圧力機器指令下の公認機関（ＰＥＤ  ９７／２３／ＥＣ）により証明される。
【００２９】
［実施例２］
[0031]この実施例は、様々な接着剤を使用して２つのポリプロピレン基板材料（ディストリビュータプレートおよびフローディストリビュータに相当する）を接着する結果を明らかにする。それぞれの接着剤ごとに、１０個のサンプルが試験されて、引張試験強度が決定される。接着剤は、各接着剤のための製造業者のガイドラインにしたがって塗布されて硬化される。試験は、周囲室温および一般的な大気湿度で、較正試験機器（Ｌｌｏｙｄｓ  ＥＸ  ５０Ｋ，  ロードセル５０ＫＮ、および、デジタルバーニア）を使用して、ＢＳ  ＥＮ  ２２４３−１にしたがって行われる。剪断強度がＭＰａの単位で測定され、最大負荷がｋＮの単位で測定され、また、不具合の態様（剪断（結合の分離）または被接着体引張破壊（材料よりも大きな結合強度））が記録される。試験速度は１０ｍｍ／分である。
【００３０】
[0032]以下の接着剤、すなわち、ＤＰ-８００５（３Ｍ  Ｓｃｏｔｃｈ  Ｗｅｌｄ；２成分），ＬＯＣＴＩＴＥ  ３０３８，およびＬＯＣＴＩＴＥ  ４０６（ＬＯＣＴＩＴＥ  ７７０プライマーを伴う）（Ｈｅｎｋｅｌ  Ｃｏｒｐｏｒａｔｉｏｎ；３０３８＝２成分；４０６＝１成分＋プライマー）；２０５０（Ｐｅｒｍａｂｏｎｄ；１成分＋ＰＯＰプライマー）およびＰＰ／ＰＰＡ膜（Ｃｏｌｌａｎｏ  Ａｄｈｅｓｉｖｅｓ；膜＋２成分エポキシ接着剤）が使用される。
【００３１】
[0033]結果は以下の通りである。
【表１】
2015034816.tif 000003
【００３２】
[0034]本明細書中で挙げられる公報、特許出願、および、特許を含む全ての文献は、あたかもそれぞれの文献が参照により組み入れられるべく個別に且つ具体的に示されてその全体が本明細書中に記載されたかのように同じ程度まで参照することにより本願に組み入れられる。
【００３３】
[0035]本発明を説明する文脈（特に、以下の特許請求の範囲の文脈）における用語「１つ（ａ）」および「１つ（ａｎ）」および「その（ｔｈｅ）」および「少なくとも１つ」および同様の言及の使用は、本明細書中で別段に示唆されなければ、または文脈により明らかに矛盾しなければ、単数形および複数形の両方を包含するように解釈されるべきである。１つ以上の項目のリストがその後に続く用語「少なくとも１つ」の使用（例えば、「ＡおよびＢのうちの少なくとも１つ」）は、本明細書中で別段に示唆されなければ、または文脈により明らかに矛盾しなければ、挙げられた項目から選択される１つの項目（ＡもしくはＢ）または挙げられた項目のうちの１つ以上の任意の組み合わせ（ＡおよびＢ）を意味するように解釈されるべきである。用語「備える」、「有する」、「含む」、および、「包含する」は、別段に言及されなければ、非限定的な用語（すなわち、「を含むがそれに限定されない」を意味する）として解釈されるべきである。本明細書中の値の範囲の列挙は、本明細書中で別段に示唆されなければ、単に、その範囲内に入るそれぞれの別個の値を個別に示す略記法として役立つべく意図されるにすぎず、また、それぞれの別個の値は、あたかもそれが本明細書中で個々に挙げられたかのように、本明細書に組み入れられる。本明細書中に説明される全ての方法は、本明細書中で別段に示唆されなければ、または文脈により明らかに矛盾しなければ、任意の適した順序で行うことができる。本明細書中で与えられる任意の全ての例または例示的な言語（例えば「など」）の使用は、単に、本発明をより良く浮き彫りにするように意図されるにすぎず、特許請求の範囲に別段に記載されなければ、本発明の範囲に限定をもたらさない。明細書中の言語は、特許請求の範囲に記載されない任意の要素を本発明の実施に不可欠であるとして示すように解釈されるべきでない。
【００３４】
[0036]本明細書中では、本発明の好ましい実施形態が、本発明を実施するための発明者等に知られる最良の形態を含めて、説明される。これらの好ましい実施形態の変形は、前述の説明を読むと、当業者に明らかとなり得る。発明者等は、当業者が必要に応じてそのような変形を使用することを予期し、また、発明者等は、本明細書中に具体的に記載される以外の方法で本発明が実施されることを意図する。したがって、本発明は、適用できる法律により許容されるように、本明細書に添付される特許請求の範囲に記載される主題の全ての変更および等価物を含む。また、前述した要素のその全ての想定し得る変形における任意の組み合わせは、本明細書中で別段に示唆されなければ、または文脈により明らかに矛盾しなければ、本発明によって包含される。
【符号の説明】
【００３５】
１…カラムチューブ、５…底端部アセンブリ（または第１のアセンブリ）、６…上端部アセンブリ（または第２のアセンブリ）、５１…脚、５５，６６…アクセス弁、１００…クロマトグラフィーカラム、２００，２０１…フランジ、５００…フローディストリビュータ、５０１…第１の表面、５０２…第２の表面、５０３…フローディストリビュータ貫通穴、５０５…流体チャネル、５１０，６１０…移動相ポート、５１１，６１１…スラリー入口ポート、５１２，６１２…スラリー廃棄ポート、５１５…ベッド支持体、５２０…バッキングプレート、５２１…第１の表面、５２２…第２の表面、５２３…バッキングプレート貫通穴、６００…フローディストリビュータ、６０１…第１の表面、６０２…第２の表面、６０３…フローディストリビュータ貫通穴、６０５…流体チャネル、６１５…ベッド支持体、６２０…バッキングプレート、６２１…第１の表面、６２２…第２の表面、６２３…バッキングプレート貫通穴
【図１】
2015034816.tif 000004
【図２】
2015034816.tif 000005
【図３】
2015034816.tif 000006
【外国語明細書】
2015034816000001.pdf